(57)【要約】      （修正有）【課題】ウェアラブル視覚補助具を提供する。【解決手段】磁気により交換可能なテレスコープを有する拡大鏡。各拡大鏡は、アンカー・アセンブリとテレスコープ・アセンブリとを含み得る。どちらかのアセンブリは磁石を含み得る。他方のアセンブリは磁性要素を含み得る。テレスコープ・アセンブリは、磁性引力により、アンカー・アセンブリと着脱可能に相接し得る。磁性引力には、磁石と磁性要素間の磁性相互作用が含まれ得る。磁石及び磁性要素それぞれの幾何学的形状と磁気的特性、ならびに各アセンブリにおけるそれらの配置は、アセンブリ同士の着脱可能な相接が維持できるように選択され得る。拡大鏡は、臨床的部位などを拡大した視野を提供し得る。テレスコープ・アセンブリは、拡大鏡において別のテレスコープ・アセンブリと交換可能であり得る。交換可能なテレスコープ・アセンブリは、視野の異なる倍率を提供し得る。【選択図】図４
2018022157.tif 000002
【特許請求の範囲】
【請求項１】
補正レンズを含むアンカー本体と、
交換可能なテレスコープと、を備え、
前記テレスコープは、前記アンカー本体と前記テレスコープ間の磁性引力により、前記アンカー本体と着脱可能に相接するように構成される、
対象を拡大するための拡大鏡デバイス。
【請求項２】
前記アンカー本体と前記テレスコープのうちの一方が、少なくとも１つの磁石を含み、前記アンカー本体と前記テレスコープのうちの他方が、少なくとも１つの磁性要素を含み、
前記磁性引力には、前記磁石と前記磁性要素間の磁性相互作用が含まれる、請求項１に記載の拡大鏡デバイス。
【請求項３】
前記少なくとも１つの磁石は、前記アンカー本体とアンカー・カバーの間に配置される、請求項２に記載の拡大鏡デバイス。
【請求項４】
前記カバーは前記アンカー本体に少なくとも１つの留め具により固定されており、それによって前記少なくとも１つの磁石は、前記アンカー本体の窪み及び前記アンカー・カバー内に画定された穴のうちの少なくとも１つの中に保持される、請求項３に記載の拡大鏡デバイス。
【請求項５】
前記レンズは、保持リングによって前記アンカー本体内に保持される、請求項１に記載の拡大鏡デバイス。
【請求項６】
前記少なくとも１つの磁性要素の形状にはリングが含まれる、請求項２に記載の拡大鏡デバイス。
【請求項７】
前記アンカー本体は第１のアンカー本体であり、前記テレスコープは第１のテレスコープであり、前記デバイスはさらに、
第２のアンカー本体と、
第２のテレスコープと、
第１の担持レンズと、
第２の担持レンズと、
双眼担持レンズフレームと、を備え、
前記第２のテレスコープは、前記第２のアンカー本体と前記第２のテレスコープ間の磁性引力により、前記第２のアンカー本体と相接し、
前記第１のアンカー本体は、前記第１の担持レンズに埋設され、
前記第２のアンカー本体は、前記第２の担持レンズに埋設され、
前記第１及び第２の担持レンズはそれぞれ前記担持レンズフレームに取り付けられる、請求項１に記載の拡大鏡デバイス。
【請求項８】
前記アンカー本体は、前記テレスコープの近位端を受けるように構成された遠位端を含み、
前記遠位端の反対側の前記アンカー本体の近位端は、内部に延びる環状リップを含み、
前記リップは、前記レンズを収容するように構成されたベイを画定する、請求項２に記載の拡大鏡デバイス。
【請求項９】
前記ベイは、窓を画定する内部に延びる環状リムにより、遠位側が縁取られ、
前記レンズは、前記ベイ内に配置され、前記リムと当接する、請求項８に記載の拡大鏡デバイス。
【請求項１０】
前記アンカー本体は、前記ベイの周囲に配置された少なくとも１つの窪みを含み、前記窪みは、少なくとも１つの磁石を受けるように構成される、請求項８に記載の拡大鏡デバイス。
【請求項１１】
さらに、アンカー・カバーを備えており、前記アンカー・カバーはそれを通る中心窓を画定する、請求項１０に記載の拡大鏡デバイス。
【請求項１２】
さらに、前記アンカー本体を前記カバーに固定するように構成された留め具を備え、それによって少なくとも１つの磁石が、前記窪み及び前記アンカー・カバー内に画定された穴のうちの少なくとも１つの中に保持され、前記穴は前記中心窓の周囲に配置される、請求項１１に記載の拡大鏡デバイス。
【請求項１３】
前記窪みは、前記アンカー本体内を、前記アンカー本体の前記近位端から、前記窪みの少なくとも１つの遠位リムに向けて遠位に延び、前記リムは、少なくとも部分的に前記窪みを塞ぐ、請求項１０に記載の拡大鏡デバイス。
【請求項１４】
前記磁石は、円筒形を有し、前記窪みに嵌って前記窪みの前記リムにより保持されるように構成される遠位面を含み、
前記テレスコープは、少なくとも１つの磁性要素を含み、
前記磁性引力には、前記磁石と前記磁性要素間の磁性相互作用が含まれる、請求項１３に記載の拡大鏡デバイス。
【請求項１５】
さらに、前記テレスコープの前記近位端に固定された磁性要素を備え、前記磁性要素の近位表面は、前記テレスコープの前記近位端とほぼ同一平面上にある、請求項９に記載の拡大鏡デバイス。
【請求項１６】
前記アンカー本体は、前記テレスコープの前記近位端を受けるように構成される中心中空部を画定し、前記磁性要素の前記近位表面は、前記少なくとも１つの磁石の遠位面と当接して配置される、請求項１５に記載の拡大鏡デバイス。
【請求項１７】
アンカー・アセンブリであって、
アンカー本体と、
少なくとも１つの磁石と、
アンカー・カバーと、
前記アンカー・カバーを前記アンカー本体に固定し、そうすることで前記少なくとも１つの磁石を前記アンカー・カバーと前記アンカー本体の間に保持する、少なくとも１つの留め具と、
補正レンズと、
補正レンズの保持リングと、を含む、前記アンカー・アセンブリと、
交換可能なテレスコープ・アセンブリであって、
交換可能なテレスコープと、
少なくとも１つの磁性要素と、を含む、前記交換可能なテレスコープ・アセンブリと、を備え、
前記交換可能なテレスコープ・アセンブリは、前記少なくとも１つの磁石と前記少なくとも１つの磁性要素間の磁性引力により、前記アンカー・アセンブリと相接するように構成される、対象を拡大するための拡大鏡デバイス。
【請求項１８】
前記少なくとも１つの磁石の形状は、円筒形である、請求項１７に記載の拡大鏡デバイス。
【請求項１９】
拡大された視野を提供する双眼拡大鏡システムであって、
一対の担持レンズを含む、担持レンズフレームと、
一対のアンカー・アセンブリであって、前記一対のアンカー・アセンブリの一方は前記一対の担持レンズの一方に固定され、前記一対のアンカー・アセンブリの他方は前記一対の担持レンズの他方に固定され、各アンカー・アセンブリは前記一対の担持レンズのうちの一方に固定されており、各アンカー・アセンブリは、
アンカー本体と、
少なくとも１つの円筒形磁石と、
アンカー・カバーと、
前記カバーを前記本体に固定し、そうすることで前記少なくとも１つの磁石を前記カバーと前記本体の間に保持する、少なくとも１つの留め具と、を含む、前記一対のアンカー・アセンブリと、
少なくとも一対の交換可能なテレスコープ・アセンブリであって、各テレスコープ・アセンブリは、少なくとも１つの磁性要素を有する交換可能なテレスコープを含む、前記テレスコープ・アセンブリと、を含み、
前記テレスコープ・アセンブリのそれぞれは、前記一対のアンカー・アセンブリのうちの一方と、前記少なくとも１つの磁石と前記少なくとも１つの磁性要素間の磁性引力により、相接するように構成される、
前記双眼拡大鏡システム。
【請求項２０】
前記一対のアンカー・アセンブリが前記一対の担持レンズに固定されて、前記一対のテレスコープ・アセンブリのうちの一方のテレスコープ・アセンブリが前記一対のアンカー・アセンブリのうちの一方のアンカー・アセンブリと相接し、前記一対のテレスコープ・アセンブリのうちの他方のテレスコープ・アセンブリが前記一対のアンカー・アセンブリのうちの他方のアンカー・アセンブリと相接すると、前記テレスコープを通じて拡大された双眼視野を提供するように構成される、請求項１９に記載の双眼拡大鏡システム。
【請求項２１】
前記カバーは、補正レンズと、前記補正レンズを前記アンカー・カバー内に保持するように構成される保持リングと、を含む、請求項１９に記載の双眼拡大鏡システム。
【請求項２２】
拡大鏡デバイスを製造する方法であって、
少なくとも１つの磁石を拡大鏡アンカー本体に挿入することと、
アンカー・カバーを前記アンカー本体に揃えることと、
前記アンカー・カバーを前記アンカー本体に固定し、そうすることで前記磁石を前記アンカー・カバーと前記アンカー本体間に保持させることと、
磁性要素を倍率レンズと固定的に機械的に連結することであって、前記磁性要素を前記磁石に近づけて、前記磁石と前記磁性要素間に磁性相互作用を生じさせ、前記倍率レンズを前記アンカー本体に着脱可能に機械的に連結する、前記連結することと、
を含む、前記方法。
【請求項２３】
前記固定することは、少なくとも１つの留め具を前記アンカー本体及び前記アンカー・カバーに挿入することを含む、請求項２２に記載の方法。
【請求項２４】
前記磁性要素を連結することは、前記磁性要素をテレスコープに固定することを含み、前記テレスコープは前記倍率レンズを含む、請求項２２に記載の方法。
【請求項２５】
前記磁性要素を連結することは、少なくともテレスコープの一部を、磁気的特性を有する材料で製造することを含み、前記テレスコープは前記倍率レンズを含む、請求項２２に記載の方法。
【請求項２６】
補正レンズを前記アンカー・カバー内に配置することと、
保持リングを前記アンカー・カバーに固定することであって、それによって前記補正レンズを前記アンカー・カバー内に保持させる、前記固定すること、
をさらに含む、請求項２２に記載の方法。
【発明の詳細な説明】
【技術分野】
【０００１】
関連出願の相互参照
本出願は、２０１６年８月３日出願の米国特許仮出願第６２／３７０，６１６号の利益を主張し、その内容を参照により本明細書に援用する。
【０００２】
本開示の態様は、広くは光学デバイスに関する。より詳細には、本開示は、ウェアラブル視覚補助具、具体的には拡大鏡に関する。
【背景技術】
【０００３】
拡大鏡デバイスは、歯科や外科の高精度の手作業ならびにその他の高分解能の視覚的情報が望ましい領域（たとえば生物学、電子機器の組み立てと点検、宝石学、工具研ぎ、写真術）の必須コンポーネントである。歯科医、医師及びその他の専門家は、双眼拡大鏡を眼鏡に取り付けて、たとえば特殊な担持レンズに直接埋設されているものや、眼鏡フレーム（またはバイザー）に（付随のヘッドランプと一緒に／付随ヘッドランプなしで、など）取り付けられる跳ね上げデバイスとして、使用することが多い。拡大鏡のおかげで、これらの医療専門家らの両手が空き、手技部位を拡大して見ながら同時に精度を要する手技を行うことができる。また、拡大鏡のおかげで医療従事者の姿勢が改善され、職業ゆえの体の凝りが軽減され得る（たとえばＦｒｉｅｄｍａｎ，  Ｍａｒｋ  Ｊ．  “Ｍａｇｎｉｆｉｃａｔｉｏｎ  ｉｎ  ａ  ｒｅｓｔｏｒａｔｉｖｅ  ｄｅｎｔａｌ  ｐｒａｃｔｉｃｅ：  ｆｒｏｍ  ｌｏｕｐｅｓ  ｔｏ  ｍｉｃｒｏｓｃｏｐｅｓ”  Ｃｏｍｐｅｎｄｉｕｍ  ｏｆ  Ｃｏｎｔｉｎｕｉｎｇ  Ｅｄｕｃａｔｉｏｎ  ｉｎ  Ｄｅｎｔｉｓｔｒｙ  −  Ｊａｍｅｓｂｕｒｇ，  ＮＪ：  １９９５  ２５（１）  ４８，５０，  ５３−５５を参照されたい）。
【０００４】
そうした医科、歯科またはその他の分野の専門家は、異なる手技や異なる手技の段階によって、異なる倍率を要する場合もある。専門家たちはまた、長く仕事を続けていく上で倍率を上げる必要性及び／または要望があり得る。そのため、歯科手技は一般には２．５倍の倍率で行われ得るが、実際には歯科拡大鏡はだいたい２倍から８倍の間の倍率を有する。
【０００５】
現在、複数の倍率レベルを求める専門家にとっての選択肢は限られている。異なる倍率レベルの複数の拡大鏡を（それぞれの取付用デバイスと一緒に）購入するという選択肢は、法外な価格になり得る。代わりに、歯科医師、医師またはその他の専門家は、様々な倍率を備えた拡大鏡を選ぶこともできるが、そのような拡大鏡は通常は重量的な問題があり、現実的に克服するのは容易ではない。
【発明の概要】
【課題を解決するための手段】
【０００６】
本発明は、これらの問題の解決策を具現化するものである。したがって、本発明の目的は、快適で実用的で使いやすい光学デバイスで複数の倍率レベルに対応するための装置及びその方法を提供することである。装置の特徴であり得、また方法に含まれ得るのは、１つまたは２つ以上の拡大鏡アンカー・アセンブリ、及び１つまたは２つ以上の拡大鏡テレスコープ・アセンブリであって、該アンカー・アセンブリと該テレスコープ・アセンブリ間の磁性引力により該アセンブリ同士は相接する。テレスコープ・アセンブリのアンカー・アセンブリとの係合、及びテレスコープ・アセンブリのアンカー・アセンブリからの簡単な取外しの両方を容易にする磁性引力により、手技の途中でも倍率が異なるテレスコープを容易に交換し得る。交換可能なテレスコープを有する拡大鏡は、歯科医師、医師またはその他の専門家に、ある範囲の複数の倍率を提供でき、複数の専用の拡大鏡のセットは必要ない。対のアンカー・アセンブリを、眼鏡、バイザー、跳ね上げ具などと双眼式に機械的に連結し得る。複数対のテレスコープ・アセンブリを一対の双眼式アンカー・アセンブリと相接させることで、歯科医師、医師またはその他の専門家に、精度を要する手技の部位を拡大した三次元的視野を提供し得る。
【０００７】
本発明の目的及び利点は、以下の詳細な説明を添付の線画と一緒に読むことで明白になる。図中、類似の部分には類似の参照符号を付している。
本発明は、例えば以下を提供する。
（項目１）
補正レンズを含むアンカー本体と、
交換可能なテレスコープと、を備え、
前記テレスコープは、前記アンカー本体と前記テレスコープ間の磁性引力により、前記アンカー本体と着脱可能に相接するように構成される、
対象を拡大するための拡大鏡デバイス。
（項目２）
前記アンカー本体と前記テレスコープのうちの一方が、少なくとも１つの磁石を含み、前記アンカー本体と前記テレスコープのうちの他方が、少なくとも１つの磁性要素を含み、
前記磁性引力には、前記磁石と前記磁性要素間の磁性相互作用が含まれる、上記項目に記載の拡大鏡デバイス。
（項目３）
前記少なくとも１つの磁石は、前記アンカー本体とアンカー・カバーの間に配置される、上記項目のいずれか一項に記載の拡大鏡デバイス。
（項目４）
前記カバーは前記アンカー本体に少なくとも１つの留め具により固定されており、それによって前記少なくとも１つの磁石は、前記アンカー本体の窪み及び前記アンカー・カバー内に画定された穴のうちの少なくとも１つの中に保持される、上記項目のいずれか一項に記載の拡大鏡デバイス。
（項目５）
前記レンズは、保持リングによって前記アンカー本体内に保持される、上記項目のいずれか一項に記載の拡大鏡デバイス。
（項目６）
前記少なくとも１つの磁性要素の形状にはリングが含まれる、上記項目のいずれか一項に記載の拡大鏡デバイス。
（項目７）
前記アンカー本体は第１のアンカー本体であり、前記テレスコープは第１のテレスコープであり、前記デバイスはさらに、
第２のアンカー本体と、
第２のテレスコープと、
第１の担持レンズと、
第２の担持レンズと、
双眼担持レンズフレームと、を備え、
前記第２のテレスコープは、前記第２のアンカー本体と前記第２のテレスコープ間の磁性引力により、前記第２のアンカー本体と相接し、
前記第１のアンカー本体は、前記第１の担持レンズに埋設され、
前記第２のアンカー本体は、前記第２の担持レンズに埋設され、
前記第１及び第２の担持レンズはそれぞれ前記担持レンズフレームに取り付けられる、上記項目のいずれか一項に記載の拡大鏡デバイス。
（項目８）
前記アンカー本体は、前記テレスコープの近位端を受けるように構成された遠位端を含み、
前記遠位端の反対側の前記アンカー本体の近位端は、内部に延びる環状リップを含み、
前記リップは、前記レンズを収容するように構成されたベイを画定する、上記項目のいずれか一項に記載の拡大鏡デバイス。
（項目９）
前記ベイは、窓を画定する内部に延びる環状リムにより、遠位側が縁取られ、
前記レンズは、前記ベイ内に配置され、前記リムと当接する、上記項目のいずれか一項に記載の拡大鏡デバイス。
（項目１０）
前記アンカー本体は、前記ベイの周囲に配置された少なくとも１つの窪みを含み、前記窪みは、少なくとも１つの磁石を受けるように構成される、上記項目のいずれか一項に記載の拡大鏡デバイス。
（項目１１）
さらに、アンカー・カバーを備えており、前記アンカー・カバーはそれを通る中心窓を画定する、上記項目のいずれか一項に記載の拡大鏡デバイス。
（項目１２）
さらに、前記アンカー本体を前記カバーに固定するように構成された留め具を備え、それによって少なくとも１つの磁石が、前記窪み及び前記アンカー・カバー内に画定された穴のうちの少なくとも１つの中に保持され、前記穴は前記中心窓の周囲に配置される、上記項目のいずれか一項に記載の拡大鏡デバイス。
（項目１３）
前記窪みは、前記アンカー本体内を、前記アンカー本体の前記近位端から、前記窪みの少なくとも１つの遠位リムに向けて遠位に延び、前記リムは、少なくとも部分的に前記窪みを塞ぐ、上記項目のいずれか一項に記載の拡大鏡デバイス。
（項目１４）
前記磁石は、円筒形を有し、前記窪みに嵌って前記窪みの前記リムにより保持されるように構成される遠位面を含み、
前記テレスコープは、少なくとも１つの磁性要素を含み、
前記磁性引力には、前記磁石と前記磁性要素間の磁性相互作用が含まれる、上記項目のいずれか一項に記載の拡大鏡デバイス。
（項目１５）
さらに、前記テレスコープの前記近位端に固定された磁性要素を備え、前記磁性要素の近位表面は、前記テレスコープの前記近位端とほぼ同一平面上にある、上記項目のいずれか一項に記載の拡大鏡デバイス。
（項目１６）
前記アンカー本体は、前記テレスコープの前記近位端を受けるように構成される中心中空部を画定し、前記磁性要素の前記近位表面は、前記少なくとも１つの磁石の遠位面と当接して配置される、上記項目のいずれか一項に記載の拡大鏡デバイス。
（項目１７）
アンカー・アセンブリであって、
アンカー本体と、
少なくとも１つの磁石と、
アンカー・カバーと、
前記アンカー・カバーを前記アンカー本体に固定し、そうすることで前記少なくとも１つの磁石を前記アンカー・カバーと前記アンカー本体の間に保持する、少なくとも１つの留め具と、
補正レンズと、
補正レンズの保持リングと、を含む、前記アンカー・アセンブリと、
交換可能なテレスコープ・アセンブリであって、
交換可能なテレスコープと、
少なくとも１つの磁性要素と、を含む、前記交換可能なテレスコープ・アセンブリと、を備え、
前記交換可能なテレスコープ・アセンブリは、前記少なくとも１つの磁石と前記少なくとも１つの磁性要素間の磁性引力により、前記アンカー・アセンブリと相接するように構成される、対象を拡大するための拡大鏡デバイス。
（項目１８）
前記少なくとも１つの磁石の形状は、円筒形である、上記項目のいずれか一項に記載の拡大鏡デバイス。
（項目１９）
拡大された視野を提供する双眼拡大鏡システムであって、
一対の担持レンズを含む、担持レンズフレームと、
一対のアンカー・アセンブリであって、前記一対のアンカー・アセンブリの一方は前記一対の担持レンズの一方に固定され、前記一対のアンカー・アセンブリの他方は前記一対の担持レンズの他方に固定され、各アンカー・アセンブリは前記一対の担持レンズのうちの一方に固定されており、各アンカー・アセンブリは、
アンカー本体と、
少なくとも１つの円筒形磁石と、
アンカー・カバーと、
前記カバーを前記本体に固定し、そうすることで前記少なくとも１つの磁石を前記カバーと前記本体の間に保持する、少なくとも１つの留め具と、を含む、前記一対のアンカー・アセンブリと、
少なくとも一対の交換可能なテレスコープ・アセンブリであって、各テレスコープ・アセンブリは、少なくとも１つの磁性要素を有する交換可能なテレスコープを含む、前記テレスコープ・アセンブリと、を含み、
前記テレスコープ・アセンブリのそれぞれは、前記一対のアンカー・アセンブリのうちの一方と、前記少なくとも１つの磁石と前記少なくとも１つの磁性要素間の磁性引力により、相接するように構成される、
前記双眼拡大鏡システム。
（項目２０）
前記一対のアンカー・アセンブリが前記一対の担持レンズに固定されて、前記一対のテレスコープ・アセンブリのうちの一方のテレスコープ・アセンブリが前記一対のアンカー・アセンブリのうちの一方のアンカー・アセンブリと相接し、前記一対のテレスコープ・アセンブリのうちの他方のテレスコープ・アセンブリが前記一対のアンカー・アセンブリのうちの他方のアンカー・アセンブリと相接すると、前記テレスコープを通じて拡大された双眼視野を提供するように構成される、上記項目のいずれか一項に記載の双眼拡大鏡システム。
（項目２１）
前記カバーは、補正レンズと、前記補正レンズを前記アンカー・カバー内に保持するように構成される保持リングと、を含む、上記項目のいずれか一項に記載の双眼拡大鏡システム。
（項目２２）
拡大鏡デバイスを製造する方法であって、
少なくとも１つの磁石を拡大鏡アンカー本体に挿入することと、
アンカー・カバーを前記アンカー本体に揃えることと、
前記アンカー・カバーを前記アンカー本体に固定し、そうすることで前記磁石を前記アンカー・カバーと前記アンカー本体間に保持させることと、
磁性要素を倍率レンズと固定的に機械的に連結することであって、前記磁性要素を前記磁石に近づけて、前記磁石と前記磁性要素間に磁性相互作用を生じさせ、前記倍率レンズを前記アンカー本体に着脱可能に機械的に連結する、前記連結することと、
を含む、前記方法。
（項目２３）
前記固定することは、少なくとも１つの留め具を前記アンカー本体及び前記アンカー・カバーに挿入することを含む、上記項目のいずれか一項に記載の方法。
（項目２４）
前記磁性要素を連結することは、前記磁性要素をテレスコープに固定することを含み、前記テレスコープは前記倍率レンズを含む、上記項目のいずれか一項に記載の方法。
（項目２５）
前記磁性要素を連結することは、少なくともテレスコープの一部を、磁気的特性を有する材料で製造することを含み、前記テレスコープは前記倍率レンズを含む、上記項目のいずれか一項に記載の方法。
（項目２６）
補正レンズを前記アンカー・カバー内に配置することと、
保持リングを前記アンカー・カバーに固定することであって、それによって前記補正レンズを前記アンカー・カバー内に保持させる、前記固定すること、
をさらに含む、上記項目のいずれか一項に記載の方法。
（摘要）
磁気により交換可能なテレスコープを有する拡大鏡。各拡大鏡は、アンカー・アセンブリとテレスコープ・アセンブリとを含み得る。どちらかのアセンブリは磁石を含み得る。他方のアセンブリは磁性要素を含み得る。テレスコープ・アセンブリは、磁性引力により、アンカー・アセンブリと着脱可能に相接し得る。磁性引力には、磁石と磁性要素間の磁性相互作用が含まれ得る。磁石及び磁性要素それぞれの幾何学的形状と磁気的特性、ならびに各アセンブリにおけるそれらの配置は、アセンブリ同士の着脱可能な相接が維持できるように選択され得る。拡大鏡は、臨床的部位などを拡大した視野を提供し得る。テレスコープ・アセンブリは、拡大鏡において別のテレスコープ・アセンブリと交換可能であり得る。交換可能なテレスコープ・アセンブリは、視野の異なる倍率を提供し得る。拡大鏡は、視野を双眼的に拡大できるように対であり得る。
【図面の簡単な説明】
【０００８】
【図１】本発明の原理による装置の斜視図である。
【図２】本発明の原理による装置の斜視図である。
【図３ａ】本発明の原理による装置の分解斜視図である。
【図３ｂ】組立後の状態の図３ａに示す装置の部分断面図である。
【図４】本発明の原理による例示的工程の流れ図である。
【発明を実施するための形態】
【０００９】
拡大鏡などの光学デバイスで複数の倍率レベルに対応する装置及び方法を提供する。装置及び方法は、磁性引力により着脱可能に相接するアセンブリを含み得る。装置及び方法は、１つまたは２つ以上の拡大鏡アンカー・アセンブリ、及び１つまたは２つ以上の拡大鏡テレスコープ・アセンブリを含み得、これらの拡大鏡アセンブリ間の磁性引力により拡大鏡アセンブリ同士の着脱可能な相接が維持されている。
【００１０】
いくつかの実施形態では、１つまたは２つ以上の磁石がアンカー・アセンブリに固定され得、１つまたは２つ以上の磁性要素がテレスコープ・アセンブリに固定され得る。いくつかの実施形態では、磁性要素（複数可）はアンカー・アセンブリに固定され得、磁石（複数可）はテレスコープ・アセンブリに固定され得る。いくつかの実施形態では、磁石（複数可）及び磁性要素（複数可）は、アンカー・アセンブリとテレスコープ・アセンブリの両方に設けられ得る。いくつかの実施形態では、磁石（複数可）はアンカー・アセンブリとテレスコープ・アセンブリの両方に設けられ得、相接するアセンブリの磁石の極は、一方のアセンブリの磁石（複数可）が他方のアセンブリの磁石（複数可）に引かれるように配置されている。
【００１１】
磁石（複数可）には、テレスコープ・アセンブリがアンカー・アセンブリにしっかりと固定されてアセンブリ同士の着脱可能な相接を維持するのに十分な磁場強度を提供するのに適した材料（複数可）が含まれ得る。材料（複数可）としては、鉄、コバルト及び／またはニッケルを含むような磁性合金（複数可）が挙げられ得る。磁石（複数可）には、磁鉄鉱、希土類金属または任意の好適な磁性物質が含まれ得る。任意の好適な磁性物質としては、希土類フリーの永久磁石（複数可）が挙げられ得る。任意の好適な磁性物質としては、ナノ構造磁石（複数可）が挙げられ得る。
【００１２】
磁石（複数可）は、対応する相補アセンブリの磁性要素（複数可）を磁気的に引き付けてアセンブリ同士の着脱可能な相接を維持するのに十分な強さの地場を提供するような形状であり得る。テレスコープ・アセンブリがアンカー・アセンブリと確実に相接し続けられるのに十分な磁性引力を確保するために、磁石（複数可）の幾何学的形状には、細長い円筒形が含まれ得る。細長い円筒形に関する磁場は、磁石の円筒形端部から十分に外方に伸びて、アセンブリ間の確実に強力な磁気相互作用を確保できる。磁石（複数可）は、アセンブリ間の確実に強力な磁気相互作用を提供するどのような形状でもよい。確実に強力な磁気相互作用は、磁石（複数可）と磁性要素（複数可）が揃っていなくても、及び／または面一になくても、あるいは当接していなくても、アセンブリ同士の着脱可能な相接を十分に確保できる。
【００１３】
磁性要素（複数可）は、磁石（複数可）に引きつけられるのに適した任意の好適な物質を含み得る。任意の好適な磁性要素物質としては、鉄、コバルト、ニッケルまたはそれらの任意の合金が挙げられ得る。磁性要素（複数可）は、自体の磁場（複数可）を提供し得る。磁性要素（複数可）の形状には、リングが含まれ得る。リングは、相接したアセンブリを通過する視線を横断するように、また半径方向でこれを遮断しないように、配置され得る。磁性要素（複数可）は、磁性要素（複数可）と磁石（複数可）間の引きあいを容易にし、視線を遮断しないのに適した任意の幾何学的形状及び／または形状であり得る。
【００１４】
いくつかの実施形態では、アンカー・アセンブリ及び／またはテレスコープ・アセンブリは、磁性要素を必要とせずに、相補アセンブリの磁石（複数可）に引きつけられるのに十分な磁気的特徴をもつ物質で少なくとも部分的には製造され得る。テレスコープ・アセンブリ及び／またはアンカー・アセンブリの構造壁または他の構造要素は、十分な磁気的特徴をもつ材料を含み得る。
【００１５】
磁石（複数可）は、テレスコープ・アセンブリ及び／またはアンカー・アセンブリの外部または内部に配置され得る。磁石（複数可）は、テレスコープ・アセンブリ及び／またはアンカー・アセンブリの中に（ｉｎ）、またはテレスコープ・アセンブリ及び／またはアンカー・アセンブリに（ｏｎ）、挿入され得る。磁石（複数可）は、テレスコープ・アセンブリ及び／またはアンカー・アセンブリの端部内に、またはテレスコープ・アセンブリ及び／またはアンカー・アセンブリの端部に、挿入され得る。磁石（複数可）は、端部から突き出し得、端部と同一面にあり得、または端部から引っ込み得る。磁石（複数可）は、アンカー本体などのアンカー・アセンブリの構成要素の窪みに配置され得る。磁石（複数可）は、アンカー本体の穴に配置され得る。磁石（複数可）は、テレスコープ・アセンブリの窪みに配置され得る。磁石（複数可）は、テレスコープ・アセンブリの穴に配置され得る。磁石（複数可）は、雌ねじ山もしくは雄ねじ山またはその他の任意の好適な固定機構により固定され得る。磁石（複数可）は、アンカー本体に固定されるアンカー・カバーにより、アンカー本体内に保持され得る。磁石（複数可）は、アンカー・カバーの窪みに配置され得る。磁石（複数可）は、アンカー・カバーの穴に配置され得る。
【００１６】
磁性要素（複数可）は、テレスコープ・アセンブリ及び／またはアンカー・アセンブリの外部または内部に配置され得る。磁性要素（複数可）は、テレスコープ・アセンブリ及び／またはアンカー・アセンブリ内に、またはテレスコープ・アセンブリ及び／またはアンカー・アセンブリに、挿入され得る。磁性要素（複数可）は、テレスコープ・アセンブリ及び／またはアンカー・アセンブリの端部内に、またはテレスコープ・アセンブリ及び／またはアンカー・アセンブリの端部に、挿入され得る。磁性要素（複数可）は、端部から突き出し得、端部と同一面にあり得、または端部から引っ込み得る。磁性要素（複数可）は、アンカー本体などのアンカー・アセンブリの構成要素の窪みに配置され得る。磁性要素（複数可）は、アンカー本体の穴に配置され得る。磁性要素（複数可）は、テレスコープ・アセンブリの窪みに配置され得る。磁性要素（複数可）は、テレスコープ・アセンブリの穴に配置され得る。磁性要素（複数可）は、雌ねじ山もしくは雄ねじ山またはその他の任意の好適な固定機構により固定され得る。磁性要素（複数可）は、アンカー本体に固定されるアンカー・カバーにより、アンカー本体内に保持され得る。磁性要素（複数可）は、アンカー・カバーの窪みに配置され得る。磁性要素（複数可）は、アンカー・カバーの穴に配置され得る。
【００１７】
アンカー・アセンブリ及びテレスコープ・アセンブリには、形状が相補的な機械的係合構造体があり得る。アンカー・アセンブリ及びテレスコープ・アセンブリの機械的係合構造体は互いに連結して、相接を維持するアセンブリ間の磁性引力を補い得る。これらの構造体としては、突起、ノッチ、溝、ラッチ、ねじ山、フック、アイ、孔、ペグ、マジックテープ（登録商標）、またはその他の任意の好適な機械的係合システムが挙げられ得る。
【００１８】
磁石（複数可）、磁性要素（複数可）及び／または機械的係合構造体（複数可）は、アンカー・アセンブリと相接するテレスコープ・アセンブリとの間で特定の回転方向（視線方向など）が提供されるように、アンカー・アセンブリ及び／またはテレスコープ・アセンブリに配置され得る。あるいは、またはそれに加えて、磁石（複数可）、磁性要素（複数可）及び／または機械的係合構造体（複数可）は、複数の回転方向から選択することが可能になるように、アンカー・アセンブリ及び／またはテレスコープ・アセンブリに配置され得る。
【００１９】
磁石（複数可）及び磁性要素（複数可）は、テレスコープ・アセンブリ及び／またはアンカー・アセンブリにおいて、これらのアセンブリ同士が相接するときは、揃っている磁石（複数可）と磁性要素（複数可）の少なくとも一部分が、互いに当接し及び／または面一にあるように、配置され得る。あるいは、またはそれに加えて、磁石（複数可）と磁性要素（複数可）とは、揃っていなくても、面一になくても、または当接していなくてもよいが、磁石（複数可）と磁性要素（複数可）間にアセンブリ同士を確実に連結するだけの十分な磁性引力があるように、互いの範囲内に配置されるようには構成され得る。
【００２０】
磁石（複数可）及び／または磁性要素（複数可）は、アンカー・アセンブリ及び／またはテレスコープ・アセンブリに、１つまたは２つ以上の好適な留め具（複数可）または留め機構（複数可）で固定され得る。いくつかの実施形態では、１つまたは２つ以上のねじが、アンカー本体とアンカー・カバー両方の揃った孔を貫通することができ、それによって磁石（複数可）が所定位置でアンカー本体とアンカー・カバーの間に挟まれる。アンカー本体及び／またはアンカー・カバーの１つまたは２つ以上の窪みまたは穴は、磁石（複数可）を所定位置に保持するように構成され得る。窪み（複数可）及び／または穴（複数可）の内側の輪郭は、磁石の外形と相補的であり得る。磁石（複数可）は、アンカー本体とアンカー・カバー両方の揃った窪み（複数可）及び／または穴（複数可）内に固定され得る。
【００２１】
磁石（複数可）及び／または磁性要素（複数可）は、接着剤またはスナップ／プレス嵌めにより、窪み（複数可）及び／または穴（複数可）内で所定位置に固定され得る。また、磁石（複数可）及び／または磁性要素（複数可）をそれぞれのアセンブリにおいて保持し及び／または方向づけるための１つまたは２つ以上のリップ、隆起部、溝、リム、当接表面、ねじ山、フック、ラッチまたはその他の任意の好適な留め手段もあり得る。
【００２２】
テレスコープ・アセンブリは、１つまたは２つ以上の倍率レンズを有するテレスコープを含み得る。テレスコープ・アセンブリは、内部を画定し得る。倍率レンズ（複数可）は、テレスコープ・アセンブリ内部に配置され得る。倍率レンズ（複数可）は、視線に対して相対的に固定されて配置され得る。倍率レンズ（複数可）は、視線に対して相対的に調整可能に配置され得る。
【００２３】
アンカー・アセンブリは、１つまたは２つ以上の補正レンズを含み得る。補正レンズ（複数可）は、専門家の視覚的必要性に合うように構成され得る。任意の好適な留め機構が、補正レンズ（複数可）をアンカー・アセンブリに固定し得る。１つまたは２つ以上の保持リングが補正レンズ（複数可）のうちの１つの片方のレンズ面の周縁部を押圧して、反対側のレンズ面の周縁部をアンカー・アセンブリの内方突出表面（複数可）に向けてかつそれに対して押し得る。保持リングは、アンカー・カバーに固定され得る。内方突出表面は、アンカー本体の一部であり得る。アンカー・カバーは、アンカー本体に固定されて、補正レンズをアンカー本体の内方突出表面と保持リングの間で所定位置に保持し得る。
【００２４】
補正レンズ（複数可）は、接着剤またはスナップ／プレス嵌めにより所定位置に固定され得る。補正レンズ（複数可）を保持し及び／または方向づけるための１つまたは２つ以上のリップ、隆起部、リム、表面またはその他の任意の好適な留め手段があり得る。補正レンズ（複数可）は、視線に対して相対的に特定の向きである所定位置に保持され得る。補正レンズ（複数可）は、複数の向きのなかから選択できるように保持され得る。いくつかの実施形態では、補正レンズ（複数可）がない場合もある。いくつかの実施形態では、視力を補正しない「窓ガラス」レンズを有し得る。
【００２５】
アンカー・アセンブリの端部は、テレスコープ・アセンブリの端部を受けるように構成され得る。テレスコープ・アセンブリの端部は、アンカー・アセンブリの端部を受けるように構成され得る。一方のアセンブリは、他方のアセンブリを受けるように構成された内部中空部を画定し得る。一方のアセンブリは、他方のアセンブリを内部に受けるように構成され得る。一方のアセンブリは、他方のアセンブリを外部に受けるように構成され得る。他方のアセンブリを受ける一方のアセンブリは、アセンブリ同士が着脱可能に相接するだけの十分な磁性引力が磁石（複数可）及び磁性要素（複数可）の間に生じるのに十分な範囲内に該アセンブリの磁石（複数可）及び／または磁性要素（複数可）を入れ得る。
【００２６】
交換可能なテレスコープ・アセンブリがアンカー・アセンブリに相接した状態を維持するための磁性引力を補う追加の機械的要素があり得る。交換可能なテレスコープ・アセンブリがアンカー・アセンブリに相接した状態を維持するための磁性引力を補う追加の機械的要素はなくてもよい。
【００２７】
いくつかの実施形態では、一対のアンカー・アセンブリが、眼鏡フレームなどの担持フレームに担持される一対の担持レンズに埋設され得、これら全部で、テレスコープ・アセンブリが相接し得る双眼アンカー装置を構成する。一対のアンカー・アセンブリの一方は一対の担持レンズの一方に固定されてよく、一対のアンカー・アセンブリの他方は一対の担持レンズの他方に固定されてよい。いくつかの実施形態では、一対のアンカー・アセンブリは、眼鏡フレームの上縁に取り付けられた跳ね上げ式の旋回デバイスに固定され得る。あるいは、担持フレームも担持レンズも使用せず、アンカー本体を直に目の近くに配置する、（たとえば宝石職人が宝石を検査するときなどの）単眼デバイスが実現され得る。
【００２８】
いくつかの実施形態では、テレスコープ・アセンブリは、一体構成であり得る。一体構成には、倍率レンズ（複数可）が収容され得る。一体構成には、磁石（複数可）及び／または磁性要素（複数可）が収容され得る。一体構成には、磁石（複数可）及び／または磁性要素（複数可）が含まれ得る。
【００２９】
いくつかの実施形態では、アンカー・アセンブリは、一体構成であり得る。一体構成は、アンカー本体、アンカー・カバー、保持リング及び／もしくは留め具（複数可）の構造ならびに／または機能を組み合わせ得る。一体構成には、補正レンズ（複数可）が収容され得る。一体構成には、磁石（複数可）及び／または磁性要素（複数可）が収容され得る。一体構成には、磁石（複数可）及び／または磁性要素（複数可）が含まれ得る。
【００３０】
装置及び方法は、本発明の原理にしたがい拡大鏡デバイスを製造する方法を含み得る。方法のいくつかのステップは一人で実施できるが、他のステップは二人以上で実施され得る。説明を簡単するために、方法の諸ステップは、メーカーなどの「製造者」により実施されるものとして示す。
【００３１】
製造の方法には、製造者が、アンカー本体及び／またはテレスコープの中に、それに、及び／またはその周りに、磁石（複数可）及び／または磁性要素（複数可）を挿入し、取り付け、貼り付け及び／または固定することが含まれ得る。
【００３２】
製造者は、アンカー・カバーをアンカー本体と揃え得る。製造者は、アンカー・カバーをアンカー本体に固定し得る。製造者は、留め具（複数可）をアンカー本体及びアンカー・カバーに挿入し及び／または通し得、そうすることでアンカー・カバーとアンカー本体間に磁石（複数可）及び／または磁性要素（複数可）を保持させる。
【００３３】
製造者は、テレスコープ・カバーをテレスコープと揃え得る。製造者は、テレスコープ・カバーをテレスコープに固定し得る。製造者は、留め具（複数可）をテレスコープ及びテレスコープ・カバーに挿入し及び／または通し得、そうすることでテレスコープ・カバーとテレスコープ間に磁石（複数可）及び／または磁性要素（複数可）を保持させる。
【００３４】
製造者は、磁性要素（複数可）と倍率レンズ（複数可）間に固定的な機械的連結を設け得る。この連結は、磁性要素（複数可）を固定的及び／または直接的に倍率レンズと接触させるような直接的なものであり得る。連結は、倍率レンズ（複数可）と磁性要素（複数可）の間に１つまたは２つ以上のテレスコープの一部が配置されるなどの間接的なものであり得る。磁性要素（複数可）は、テレスコープの磁性壁（複数可）の一部を含み得る。
【００３５】
製造者は、磁性要素（複数可）を倍率レンズ（複数可）と機械的に連結させ得る。製造者は、磁性要素（複数可）を倍率レンズ（複数可）と固定的に機械的に連結させ得る。製造者は、磁性要素（複数可）を磁石（複数可）に近づけて、磁石（複数可）と磁性要素（複数可）間に磁性相互作用を生じさせ、倍率レンズ（複数可）がアンカー本体と着脱可能に相接するように、磁性要素（複数可）を倍率レンズ（複数可）と固定的に機械的に連結し得る。製造者は、倍率レンズ（複数可）を含んでいるテレスコープに磁性要素を固定し得る。製造者は、テレスコープの１つまたは２つ以上の部分を、磁気的特性を有する１つまたは２つ以上の材料で製造し得、該テレスコープは倍率レンズ（複数可）を含んでいる。
【００３６】
製造の方法には、製造者が補正レンズをアンカー・カバー及び／またはアンカー本体内に配置し、挿入し及び／または固定することが含まれ得る。製造の方法には、製造者が倍率レンズ（複数可）をテレスコープ・カバー及び／またはテレスコープ内に配置し、挿入し及び／または固定することが含まれ得る。製造の方法には、製造者が倍率レンズ（複数可）及び／または補正レンズ（複数可）を、磁性要素（複数可）内に、それに、その周りに及び／またはそれに隣接して、配置し、挿入し及び／または固定することが含まれ得る。製造者は、保持リング（複数可）を（たとえばねじ山により）アンカー・カバーに固定でき、そうすることで補正レンズをアンカー・カバー及び／またはアンカー本体内に維持できる。製造者は保持リング（複数可）を（たとえばねじ山により）テレスコープ・カバー及び／またはテレスコープに固定でき、そうすることで倍率レンズ（複数可）をテレスコープ・カバー及び／またはテレスコープ内に維持できる。
【００３７】
本明細書で説明する装置及び方法は例示的なものである。本発明の原理による装置及び方法を、本明細書の一部をなす添付図面の図に関して説明していく。図は、本発明の原理による装置及び／または方法のステップの例示的特徴を示している。
【００３８】
方法のステップは、本明細書で示す及び／または説明する順とは別の順で実施され得る。いくつかの実施形態では、例示的な方法に関して示す及び／または説明するステップが省略され得る。いくつかの実施形態には、例示的な方法に関して示しても説明してもいないステップが含まれ得る。例示的な方法のステップは組み合され得る。たとえば、ある例示的な方法には、別の例示的な方法に関して示すステップが含まれ得る。
【００３９】
いくつかの装置では、例示的な装置に関して示す及び／または説明する特徴が省略され得る。いくつかの実施形態には、例示的な方法に関して示しても説明してもいない特徴が含まれ得る。例示的な装置の特徴は組み合され得る。たとえば、ある例示的な実施形態には、別の例示的な実施形態に関して示す特徴が含まれ得る。
【００４０】
装置には、例示的な装置の一部または全部の特徴及び／または例示的な方法の一部または全部のステップが含まれ得る。方法には、例示的な方法の一部または全部の特徴及び／または例示的な装置の一部または全部のステップが含まれ得る。
【００４１】
本発明の装置及び方法を例示的なデバイスの実施形態及び特徴に関して説明していく。デバイスは、添付図面の図を参照しながら説明する。なお、他の実施形態も活用できること、ならびに、本発明の範囲及び精神から逸脱することなく構造、機能、及び手順の変更形態が可能であることを理解されたい。
【００４２】
図１は、組み立てられていないスルー・ザ・レンズ双眼装置１００を示す。装置１００は、拡大鏡アンカー・アセンブリ１０２を含み得る。アンカー・アセンブリ１０２は担持レンズ１０４に埋設され得、該担持レンズ１０４は担持フレーム１０６に担持されている。アンカー・アセンブリ１０２は、接着剤または他の固定手段（図示せず）により担持レンズ１０４に埋設され得る。あるいは、アンカー・アセンブリ１０２は、バイザーまたは跳ね上げデバイス（図示せず）などの担持体に固定され得る。跳ね上げデバイスは、担持フレーム１０６と同様であり得る眼鏡フレームの上縁に取り付けられ得る。
【００４３】
図２は、組み立てられたスルー・ザ・レンズ双眼装置２００を示す。装置２００は、装置１００（図１に示す）と共通の１つ以上の特徴を有し得る。
【００４４】
拡大鏡アンカー・アセンブリ２０２が担持レンズ２０４に埋設されており、該担持レンズ２０４は担持フレーム２０６に担持されている装置２００を示す。拡大鏡テレスコープ・アセンブリ２０８は、アンカー・アセンブリ２０２と相接し得る。テレスコープ・アセンブリ２０８は、アンカー・アセンブリ２０２によって、術野などの部位を拡大して双眼視できるように向けられ得る。テレスコープ・アセンブリ２０８の異なる対、つまり光学的または他の特性が互いに異なる対が、装置２００で対応できる。テレスコープの対は容易に交換できる。
【００４５】
図３ａと図３ｂはそれぞれ拡大鏡アンカー・アセンブリ３０２及び交換可能な拡大鏡テレスコープ・アセンブリ３０８を示している。アンカー・アセンブリ３０２は、アンカー・アセンブリ１０２（図１に示す）及び２０２（図２に示す）と共通の１つ以上の特徴を有し得る。テレスコープ・アセンブリ３０８は、テレスコープ・アセンブリ２０８（図２に示す）と共通の１つ以上の特徴を有し得る。動作時、テレスコープ・アセンブリ３０８は、アンカー・アセンブリ３０２と相接し得、相接したアセンブリは担持フレーム（フレーム１０６（図１に示す）またはフレーム２０６（図２に示す）などの）または別のタイプの担持デバイス、たとえばバイザーまたは跳ね上げデバイス（図示せず）などに固定され得る。
【００４６】
図３ａは、組み立てられていない状態として示すアンカー・アセンブリ３０２と相接していないテレスコープ・アセンブリ３０８を示す。図３ｂは、組立後の状態として示すアンカー・アセンブリ３０２と相接しているテレスコープ・アセンブリ３０８を断面図で示す。
【００４７】
図３ａ及び／または図３ｂは、アンカー・アセンブリ３０２が、アンカー本体３１０、磁石（複数可）３１２、アンカー・カバー３１４、アンカー・カバー３１４をアンカー本体３１０に固定して、磁石３１２をアンカー本体３１０とアンカー・カバー３１４間に挟むための留め具３１６、補正レンズ３１８、及び補正レンズ保持リング３２０、を含み得ることを示す。テレスコープ・アセンブリ３０８は、磁性要素３２４及び倍率レンズ３４４を含み得る拡大鏡テレスコープ３２２を含み得る。磁性要素３２４は、ねじ山または他の固定手段（図示せず）によりテレスコープ３２２に固定され得る。テレスコープ・アセンブリ３０８は、磁石（複数可）３１２と磁性要素３２４間の磁性引力により着脱可能にアンカー・アセンブリ３０２に保持され得る。
【００４８】
テレスコープ・アセンブリ３０８が確実にアンカー・アセンブリ３０２と相接していられるように磁石（複数可）３１２と磁性要素３２４間の十分な磁性引力を確保するために、磁石（複数可）３１２及び磁性要素３２４の形状及び材料特性ならびにそれらの各アセンブリ内での配置は、確実に強力な磁場が保証され、信頼できる強力なレベルの磁性引力が得られるように、（たとえば設計及び／または製造中に）設定され得る。図示のように、磁石３１２は、細長いシリンダとして成形され得る。シリンダは、該シリンダの中央部分よりも小径であるシリンダ端面を有し得る。小径の端面は、該シリンダの中央部分と共に環状隆起部または条を形成し得る（図３ａに示す磁石３１２の一端部に見える）。シリンダ端面は、完全な円形ではない、たとえば半円形、切欠きのある円形または四角形などであり得る（図示せず）。磁性要素３２４は、リングとして成形され得る。様々な形状（図示せず）の複数の磁性要素の使用が考えられる。
【００４９】
留め具３１６としては、アンカー・カバー３１４をアンカー本体３１０に固定するねじが挙げられ得る。接着剤または他の固定手段（図示せず）が使用され得る。
【００５０】
アンカー本体３１０は剛性であり得る。アンカー本体３１０は円筒形であり得る。アンカー本体３１０は、テレスコープ・アセンブリ３０８を受けるように構成された遠位端を有し得る。アンカー本体３１０は、遠位端の近位に中心中空部を画定し得る。中空部は、テレスコープ・アセンブリ３０８を受けるように構成され得る。アンカー本体３１０の近位端は、環状リップ３２６を含み得る。環状リップ３２６は、アンカー本体３１０内部に延び得る。環状リップ３２６は、レンズ収容ベイ３２８を画定し得る。ベイ３２８は、レンズ保持ベイリム３３４に縁取られ得る。ベイリム３３４は窓３３８を画定し得る。
【００５１】
環状リップ３２６は、１つまたは２つ以上の貫通孔３３２を有し得る。貫通孔（複数可）３３２にはねじ山があり得る。貫通孔（複数可）３３２にはねじ山がない場合もある。貫通孔（複数可）３３２は、レンズ収容ベイ３２８の周囲に沿って配置され得る。貫通孔（複数可）３３２は留め具（複数可）３１６を受け得る。貫通孔３３２の内径は、留め具３１６の近位軸の外径よりも大きくされ得る。貫通孔３３２の内径は、留め具３１６の遠位ヘッドの外径よりも小さくされ得る。
【００５２】
環状リップ３２６は、１つまたは２つ以上の磁石収容窪み３３０を有し得る。窪み（複数可）３３０は、レンズ収容ベイ３２８の周囲に沿って配置され得る。窪み（複数可）３３０は、環状リップ３２６内に遠位に延び得る。窪み（複数可）３３０の遠位側は、磁石保持リム（複数可）３３６で縁取られ得る。窪み（複数可）３３０の遠位側は、磁石保持リム（複数可）３３６で塞がれ得る。窪み（複数可）３３０は、磁石（複数可）３１２を受け得る。窪み（複数可）３３０は、磁石（複数可）３１２を保持し得る。磁石（複数可）３１２の遠位面（複数可）は、リム（複数可）３３６と当接し得る。
【００５３】
リム（複数可）３３６は、窪み（複数可）３３０の遠位側を部分的に塞ぐだけであり得る。磁石（複数可）３１２の遠位面（複数可）のすぐ近位にある隆起部（複数可）／条が、リム（複数可）３３６に当接し得る。磁石（複数可）３１２の遠位面（複数可）は、リム３３６から遠位に延び得る。磁性要素３２４の近位表面は、テレスコープ３２２の近位縁部と同一平面上にあるか、または近位に突出し得る。テレスコープ・アセンブリ３０８がアンカー・アセンブリ３０２と相接すると、磁性要素３２４の近位表面は磁石（複数可）３１２の遠位面と近接し得る。テレスコープ・アセンブリ３０８がアンカー・アセンブリ３０２と相接すると、磁石（複数可）３１２の遠位面（複数可）が磁性要素３２４の近位表面と当接し得る。
【００５４】
アンカー・カバー３１４は、リング形を含み得る。アンカー・カバー３１４は中心窓３４０を画定し得る。アンカー・カバー３１４の遠位側は、中心窓３４０の周囲に沿って配置される１つまたは２つ以上の穴（図３ａでは示さず）を画定し得る。穴（複数可）は、近位環状リップ３２６の窪み（複数可）３３０とは反対向きにされ得る。穴（複数可）は、窪み（複数可）３３０と揃えられ得る。穴（複数可）は、窪み（複数可）３３０と同様であり得る。穴は、近位側が区切られ得、アンカー・カバー３１４を近位側に貫通していない。各穴は、穴と揃った窪み３３０に受けられる磁石３１２の遠位面の反対側の近位面を受け得る。穴（複数可）は、磁石（複数可）３１２を保持し得る。磁石（複数可）３１２の近位面（複数可）は、アンカー・カバー３１４内で遠位穴底部（複数可）と当接し得る。
【００５５】
アンカー・カバー３１４は、１つまたは２つ以上のねじ穴３４２を画定し得る。ねじ穴（複数可）３４２は、中心窓３４０の周囲に沿って配置され得る。ねじ穴（複数可）３４２にはねじ山があり得る。ねじ穴（複数可）３４２は、貫通孔（複数可）３３２を横断する留め具（複数可）３１６を受け得る。ねじ穴（複数可）３４２は、留め具（複数可）３１６を保持し得る。ねじ穴３４２は、留め具３１６の軸の近位端を保持し得る。他の機械的保持構造体（図示せず）を使用して、留め具３１６の近位端を受け、及び／または保持することもできる。留め具（複数可）３１６の端部（複数可）の保持により、磁石（複数可）３１２が窪み（複数可）３３０及びそれと揃ったアンカー・カバー３１４の穴（複数可）に固定され得る。
【００５６】
補正レンズ３１８が、レンズ収容ベイ３２８内に配置され得る。補正レンズ３１８は、中心窓３４０内に配置され得る。補正レンズ３１８は、レンズ保持ベイリム３３４とレンズ保持リング３２０の間に保持され得る。リング３２０は、中心窓３４０内に固定され得る。リング３２０の外周にはねじ山があるか、またはそうではなくアンカー・カバー３１４内に固定できるようになっている。アンカー・カバー３１４の内周にはねじ山があるか、またはそうではなくリング３２０を受け、固定するように構成されている。
【００５７】
図４は、工程４００の例示的なステップを示す。工程４００は、本発明の原理にしたがい拡大鏡デバイスを製造する方法であり得る。工程のいくつかのステップは一人で実施できるが、他のステップは二人以上で実施され得る。説明を簡単するために、工程の諸ステップは、メーカーなどの「製造者」により実施されるものとして示す。
【００５８】
工程は、ステップ４０１から開始され得る。ステップ４０１では、製造者は、磁石（複数可）をアンカー本体に挿入し得る。製造者は、磁石（複数可）をアンカー本体の窪み（複数可）に挿入し得る。磁石（複数可）は細長い円筒形を有し得る。細長い円筒形の磁石（複数可）は、所望の磁場形状及び／または強度を有し得る。
【００５９】
ステップ４０３では、製造者は、アンカー・カバーをアンカー本体と揃え得る。製造者は、アンカー本体の窪み（複数可）から外に出ている磁石（複数可）の端部（複数可）がアンカー・カバーの穴（複数可）の中に突出するように、アンカー・カバーをアンカー本体と揃え得る。製造者は、アンカー本体の貫通孔（複数可）がアンカー・カバーのねじ穴（複数可）と揃うように、アンカー・カバーをアンカー本体と揃え得る。
【００６０】
ステップ４０５では、製造者は、留め具（複数可）をアンカー本体及びアンカー・カバー内に挿入し及び／またはそれを通し得る。製造者は、留め具（複数可）を貫通孔（複数可）に挿通し得る。製造者は留め具（複数可）をねじ穴内に通し得る。貫通孔は、内部にねじ山があり得、製造者は留め具（複数可）を貫通孔に通し得る。製造者は、留め具（複数可）をアンカー本体内に通し得る。製造者は、留め具（複数可）をアンカー・カバー内に通し得る。製造者は、１つの、いくつかの、またはすべての留め具（複数可）をまずはアンカー本体に通してから、アンカー・カバー内に通し得る。製造者は、１つの、いくつかの、またはすべての留め具（複数可）をまずはアンカー・カバーに通してから、アンカー本体内に通し得る。
【００６１】
ステップ４０７では、製造者は、補正レンズをアンカー・カバー内に配置し得る。製造者は、補正レンズをアンカー本体内に配置し得る。製造者は、補正レンズをアンカー・カバーの中心窓に挿入し得る。製造者は、補正レンズをアンカー本体のレンズ収容ベイに部分的に及び／または完全に挿入し得る。製造者は、補正レンズをアンカー本体の窓に被せて配置し得る。
【００６２】
ステップ４０９では、製造者は、１つまたは２つ以上の保持リングをアンカー・カバーに固定し得る。製造者は、保持リング（複数可）を、該保持リング（複数可）のねじ山によって、アンカー・カバー及び／またはアンカー本体の相補的輪郭をもつねじ山に通し得る。製造者は、保持リング（複数可）をアンカー・カバー及び／またはアンカー本体内に／その上に、スナップ／プレス嵌めし得る。
【００６３】
ステップ４１１では、製造者は、直接または間接的に、１つまたは２つ以上の倍率レンズを１つまたは２つ以上の磁性要素に固定し得る。製造者は、アンカー本体と相接するように構成された磁性テレスコープを製造し得る。磁性要素（複数可）は、テレスコープの１つまたは２つ以上の構造壁を含み得る。製造者は、倍率レンズ（複数可）を、たとえば保持リング（複数可）、接着剤及び／またはその他の任意の好適な固定手段により、壁（複数可）に固定し得る。製造者は、テレスコープを、該テレスコープの端部がアンカー本体の端部内に、それに、その周りに及び／またはそれに隣接して嵌るように、作製し得る。製造者は、たとえば磁性要素（複数可）のねじ山をテレスコープ・カバー及び／またはテレスコープの相補的輪郭をもつねじ山と係合させることにより、磁性要素（複数可）をテレスコープに取り付け得る。製造者は、磁性要素（複数可）をテレスコープ・カバー及び／またはテレスコープ内に／その上に、スナップ／プレス嵌めし得る。製造者は、磁性要素（複数可）が磁石（複数可）と磁気相互作用することで、テレスコープがアンカー本体と容易に着脱可能に相接するように、テレスコープを製造し得る。
【００６４】
このようにして、快適で実用的で使いやすい光学デバイスで複数の倍率レベルに対応するための装置及び方法が提供される。当業者であれば、本発明は、これまで説明してきた実施形態（限定ではなく説明の目的で示した）とは違った形態で実施できることを理解しよう。本発明は、以下の特許請求の範囲にしか限定されない。
【図１】
2018022157.tif 000003
【図２】
2018022157.tif 000004
【図３ａ】
2018022157.tif 000005
【図３ｂ】
2018022157.tif 000006
【図４】
2018022157.tif 000007